(57)【要約】【課題】シール性の良い、製造が容易な自動車用ウエザストリップを提供する。【解決手段】自動車の車体開口部開閉部材と自動車の車体開口部周縁との間をシールするウエザストリップにおいて押出成形部１１と型成形部１２から形成される。押出成形部と型成形部は、取付基部２０とシール部３０を有する。押出成形部のシール部は複数の中空部を有し、型成形部のシール部は、1個の中空部３１を有し、型成形部のシール部の中空部と押出成形部のシール部の1個の中空部とは連通して形成され、型成形部の取付基部に、中空部を形成する中子を取出すスリット２２を設けるとともに、スリットに隣接して長手方向に伸び中空部に隣接し、裏側に開口する凹部２７を形成する。凹部２７は押出成形部のシール部の他の中空部と連通し、型成形部の凹部の内部には、幅方向に複数の補強リブ４１、４２、４３、４４が形成された自動車用ウエザストリップである。【選択図】図１
2008110648.tif 000002
【特許請求の範囲】
【請求項１】
自動車のドアと自動車の車体開口部周縁との間をシールするウエザストリップにおいて、
該ウエザストリップは、押出成形により形成された押出成形部と、該押出成形部の端部に型成形により形成された型成形部から形成され、上記押出成形部と型成形部は、上記車体開口部周縁に取付けられる取付基部と、該取付基部に一体に形成され上記ドア側の部材に当接してシールするシール部を有し、
上記押出成形部のシール部は複数の中空部を有し、上記型成形部のシール部は、1個の中空部を有し、上記型成形部のシール部の中空部と上記押出成形部のシール部の1個の中空部とは連通して形成され、上記型成形部の取付基部に、該中空部を形成する金型の中子を取出すスリットを設けるとともに、上記型成形部の上記中空部に隣接して長手方向に伸び、裏側面に開口する凹部を形成し、該凹部は上記押出成形部のシール部の他の中空部と連通し、上記型成形部の凹部の内部には、幅方向に複数の補強リブが形成されたことを特徴とする自動車用ウエザストリップ。
【請求項２】
上記押出成形部と型成形部のシール部には、各取付基部と該各取付基部に隣接する他部材との間を覆うカバーリップが形成され、該カバーリップは上記押出成形部と型成形部の接続部分で一体的に平滑に接続されている請求項１に記載の自動車用ウエザストリップ。
【請求項３】
上記型成形部において、上記カバーリップは湾曲状に形成され、該カバーリップと中空部の中空壁部とで断面略逆Ｕ字状の上記凹部を形成し、上記補強リブは、上記カバーリップの内面と接続するとともに、上記型成形部の中空部の中空壁部との間に隙間を有する請求項２に記載の自動車用ウエザストリップ。
【請求項４】
上記ウエザストリップは、ドア開口部周縁の上部に取付けられるルーフサイドウエザストリップであり、上記押出成形部と型成形部のシール部には、ドア閉時にドアガラスの先端部分に当接する中空部リップが形成されている請求項１乃至請求項３のいずれかに記載の自動車用ウエザストリップ。
【請求項５】
上記型成形部の先端部分は、車体開口部周縁にクリップ又は両面接着テープで固定される請求項１乃至請求項４のいずれかに記載の自動車用ウエザストリップ。
【請求項６】
上記型成形部は、上記押出成形部のフロント側とリヤ側の両方の端末に設けられた請求項１乃至請求項５のいずれかに記載の自動車用ウエザストリップ。
【請求項７】
上記型成形部は、上記押出成型部を接続するＬ字状のコーナー部に設けられた請求項１乃至請求項５のいずれかに記載の自動車用ウエザストリップ。
【請求項８】
上記型成形部はスポンジゴムにより形成され、上記押出成形部の取付基部はソリッドゴムで形成され、シール部はスポンジゴムで形成された請求項１乃至請求項７のいずれかに記載の自動車用ウエザストリップ。
【発明の詳細な説明】
【技術分野】
【０００１】
本発明は、自動車ドアと車体開口部周縁との間をシールする自動車用ウエザストリップに関するものである。
【背景技術】
【０００２】
以下、本発明について、図６に示すように、ドア開口部の車体上辺部に取付けられて、自動車のドア２と車体開口部周縁６との間をシールするルーフサイドウエザストリップ１０を例に取り説明する。
従来、サッシドアにあっては車体開口部開閉部材である自動車のドア２と車体開口部周縁６との間のシールは、図７に示すように、車体開口部周縁６に取付けられるルーフサイドウエザストリップ１１０によりなされる。
なお、車体開口部周縁６を規定しているアウターパネル９と車内側のインナーパネル等とによって形成されているフランジ７には、内装材のオープニングトリム５０が取付けられている。
【０００３】
車体のドア開口部には、上記ルーフサイドウエザストリップ１１０がソテーナー８と両面接着テープにより、ルーフサイドモール１５０を介して取付けられており、ドアガラス５と車体開口部周縁６との間をシールしている。ルーフサイドウエザストリップ１１０は、ソリッドゴム製で断面略Ｌ字形の取付基部１２０に上記のリテーナー８を係合させ、さらに、上記の両面接着テープによる接着によって取付けられ、そのスポンジゴム製の中空シール部１３０にドアガラス５の周縁を当接させることによって、ドアガラス５との間をシールしている。
【０００４】
なお、このルーフサイドウエザストリップ１１０には、上記車体開口部周縁６のフランジ７に取付けられたオープニングトリム５０との間を覆うカバーリップ１２６が設けられている。  
また、図８に示すように、ルーフサイドモールを介さず車体開口部周縁６にリテーナー８を取付け、直接的にルーフサイドウエザストリップ２１０を取付けて、ドアガラス５との間をシールしているものもある。この取付けは、車体開口部周縁６にリテーナー８を取付け、そのリテーナー８にルーフサイドウエザストリップ２１０の平板状の取付基部２２０の両端部を装着することにより行われる。
【０００５】
この種のルーフサイドウエザストリップ２１０は、押出成形により形成される押出成形部と、押出成形部の端末に型成形により形成される型成形部から形成される。なお、押出成形部のシール部２３０はシール性の向上と、剛性の向上のために、複数の中空部とその中空部を仕切る中空壁を有するように形成されている（例えば、特許文献１参照。）。
【０００６】
しかしながら、型成形部では、シール部２３０に中空部を成形するためには、金型に中子を設けて、図８及び図９に示すように、成形後に型成形部の取付基部２２０の中子抜きスリット２２２からその中子を抜き出す必要がある。このため、中子を抜き出す方向を考慮すると、図８に示すように、中空部は中子を抜くために、１つしか設けることができなかった。この場合は、シール部２３０の内部に中空壁がなく、シール部２３０の剛性が低くシール性が低下する場合があった（例えば、特許文献２参照。）。なお、図９はコーナー部における型成形部の取付基部の裏側面を示すものであり、コーナー型成形部においても上記した中子の抜き取りが行われている。
【０００７】
このため、図１０に示すように、ルーフサイドウエザストリップ３１０の型成形部において、シール部３３０に中空部３３１と横方向に開口した凹部３３２を成形し、中空壁部３３４を形成するものもある（例えば、特許文献３参照。）。この場合、中空部３３１を形成する中子を抜く中子抜きスリット３２２を取付基部３２０に設けるとともに、凹部３３２を形成する金型のコアを成形品から抜き取り易いように、取付基部３２０から横方向に抜いている。このため、金型が複雑になり、成形作業にも時間がかかり、生産性がよくなかった。
【０００８】
【特許文献１】特許第３７１８９１０号公報
【特許文献２】特開２００６−２０５８４２号公報
【特許文献３】特許第３０５７１３６号
【発明の開示】
【発明が解決しようとする課題】
【０００９】
このため、本発明は、シール性の良い、製造が容易な自動車用ウエザストリップを提供することを目的とするものである。
【課題を解決するための手段】
【００１０】
上記課題を解決するために請求項１の本発明は、自動車のドアと自動車の車体開口部周縁との間をシールするウエザストリップにおいて、
ウエザストリップは、押出成形により形成された押出成形部と、押出成形部の端部に型成形により形成された型成形部から形成され、押出成形部と型成形部は、車体開口部周縁に取付けられる取付基部と、取付基部に一体に形成されドア側の部材に当接してシールするシール部を有し、
押出成形部のシール部は複数の中空部を有し、型成形部のシール部は、1個の中空部を有し、型成形部のシール部の中空部と押出成形部のシール部の1個の中空部とは連通して形成され、型成形部の取付基部に、中空部を形成する金型の中子を取出すスリットを設けるとともに、型成形部の中空部に隣接して長手方向に伸び、裏側面に開口する凹部を形成し、凹部は押出成形部のシール部の他の中空部と連通し、型成形部の凹部の内部には、幅方向に複数の補強リブが形成された自動車用ウエザストリップである。
【００１１】
請求項１の本発明では、自動車のドアと自動車の車体開口部周縁との間をシールし、車体開口部周縁に取付けられているウエザストリップにおいて、ウエザストリップは、押出成形により形成された押出成形部と、押出成形部の端部に型成形により形成された型成形部から形成されている。このため、車体開口部周縁の形状に沿って、ウエザストリップの端末部分の形状を形成して、取り付けてシールすることができる。
【００１２】
押出成形部と型成形部は、それぞれ車体開口部周縁に取付けられる取付基部と、取付基部に一体に形成されドアガラスと当接してシールするシール部を有している。このため、車体開口部周縁に上記の取付基部を取付けると、ドア閉時にシール部がドアガラスの周縁と当接して、ドア（ドアガラス）と車体（ドア）開口部周縁との間をシールすることができる。
【００１３】
押出成形部のシール部は複数の中空部を有しているため、中空部の剛性が高く、ドアを閉じたときに、異常変形せず、
ドアガラスの周縁と確実に当接して、シール性を確保することができる。
型成形部のシール部は、1個の中空部を有し、型成形部のシール部の中空部と押出成形部のシール部の1個の中空部とは連通して形成される。このため、押出成形部と型成形部のシール部をスムースに連続させて、中空部をドアガラスに隙間無く当接させ、シール性を確保することができる。
【００１４】
型成形部の取付基部に、中空部を形成する金型の中子を取出すスリットを設けるとともに、型成形部の中空部に隣接して長手方向に伸び裏側面に開口する凹部を形成したため、型成形部に１個の中空部と中空壁部を形成してシール部の中空部の剛性を確保することができ、良好なシール性を得ることができる。また、凹部は押出成形部のシール部の他の中空部と連通し、型成形部の凹部の内部には、幅方向に複数の補強リブが形成されたため、中子を使用しないで凹部の部分の剛性を確保し、シール性を確保することができるとともに、補強リブを形成する上型又は下型の型開き方向を変えることなく成形でき、型成形部の成形を容易にすることができる。
【００１５】
請求項２の本発明は、押出成形部と型成形部のシール部には、各取付基部と該各取付基部に隣接する他部材との間を覆うカバーリップが形成され、カバーリップは押出成形部と型成形部の接続部分で一体的に平滑に接続されている自動車用ウエザストリップである。
【００１６】
請求項２の本発明では、押出成形部と型成形部のシール部には、各取付基部と該各取付基部に隣接する他部材との間を覆うカバーリップが形成されたため、ドア開口部周縁に取り付けられた取付基部とこの取付基部に隣接する他部材、例えば、内装材のオープニングトリムとの間の隙間を覆うことができ、見栄えが良い。また、押出成形部と型成形部の接続部分が一体的に平滑に接続されているため、接続部分に段差が無く、見栄えが良いとともに、カバーリップの基点となるシール部においても、段差が生じないので、シール性が損なわれるようなことがない。
【００１７】
請求項３の本発明は、型成形部において、カバーリップは湾曲状に形成され、カバーリップと中空部の中空壁部とで断面略逆Ｕ字形の凹部を形成し、補強リブは、カバーリップの内面と接続するとともに、型成形部の中空部の中空壁部との間に隙間を有する自動車用ウエザストリップである。
【００１８】
請求項３の本発明では、型成形部において、カバーリップは湾曲状に形成され、カバーリップと中空部の中空壁部とで断面略逆Ｕ字形の凹部を形成したため、中空部を小さくして、中空部のシール性を確保することができるとともに、カバーリップの柔軟性を確保することができる。
補強リブは、カバーリップの内面と接続するため、カバーリップの異常変形を防止して取付基部と取付基部に隣接して設けられた他部材との間の隙間を確実に覆うことができる。
型成形部の中空部の中空壁部との間に隙間を有するため、カバーリップを撓ませることができ、型成形後に、金型から型成形部を取出すことが容易である。
【００１９】
請求項４の本発明は、ウエザストリップは、ドア開口部周縁の上部に取付けられるルーフサイドウエザストリップであり、押出成形部と型成形部のシール部には、ドア閉時にドアガラスの先端部分に当接する中空部リップが形成されている自動車用ウエザストリップである。
【００２０】
請求項４の本発明では、ウエザストリップは、ルーフサイドウエザストリップであり、ドア開口部周縁の上部とドアガラスの周縁との間を確実にシールする。
押出成形部と型成形部のシール部には、ドア閉時にドアガラスの先端部分に当接する中空部リップが形成されているため、ドアガラスの先端部分に中空シール部と中空部リップが当接し、２重にシールすることができる。
【００２１】
請求項５の本発明は、型成形部の先端部分は、車体開口部周縁にクリップ又は両面接着テープで固定される自動車用ウエザストリップである。
【００２２】
請求項５の本発明では、型成形部の先端部分は、車体開口部周縁にクリップ又は両面接着テープで固定されるため、車両に装着時に、ウエザストリップの型成形部の先端部分を車体開口部周縁に簡単に、確実に固定することができる。
【００２３】
請求項６の本発明は、型成形部は、押出成形部のフロント側とリヤ側の両方の端末に設けられた自動車用ウエザストリップである。
【００２４】
請求項６の本発明では、型成形部は、押出成形部のフロント側とリヤ側の両方の端末に設けられたため、両端部の形状に合わせて型成形して、ウエザストリップの両端でシール性を確保することができるとともに、両端の見栄えを良くすることができる。
【００２５】
請求項７の本発明は、型成形部は、押出成型部を接続するＬ字状のコーナー部に設けられた自動車用ウエザストリップである。
【００２６】
請求項７の本発明では、型成形部は、押出成型部を接続するＬ字状のコーナー部に設けられたため、Ｌ字状のコーナー部に対応して、ウエザストリップを取付けることができ、コーナー部を確実にシールすることができる。
【００２７】
請求項８の本発明は、型成形部はスポンジゴムにより形成され、押出成形部の取付基部はソリッドゴムで形成されシール部はスポンジゴムで形成された自動車用ウエザストリップである。
【００２８】
請求項８の本発明では、型成形部はスポンジゴムにより形成されたため、ドアを閉じた時にドアガラスに柔軟に当接して、車体の組付け時の寸法バラツキがあっても確実に追従してシールすることができる。
押出成形部の取付基部はソリッドゴムで形成されシール部はスポンジゴムで形成されたため、取付基部は、ドア開口部周縁に確実に保持されて、シール部は、ドア閉時にドアガラスの周縁部に柔軟に当接して、車体の組み付け時の寸法バラツキがあっても確実に追従してシールすることができる。
【発明の効果】
【００２９】
型成形部のシール部は、1個の中空部を有し、型成形部のシール部の中空部と押出成形部のシール部の1個の中空部とは連通して形成されため、中空部をドアガラスに隙間無く当接させ、シール性を確保することができる。
型成形部の取付基部に、中空部を形成する金型の中子を取出すスリットを設けるとともに、型成形部の中空部に隣接して長手方向に伸び、裏側面に開口する凹部を形成したため、型成形部に中空部と中空壁部を形成してそのシール部の剛性を確保することができ、良好なシール性を得ることができる。型成形部の凹部の内部には、幅方向に複数の補強リブが形成されたため、中子を使用しないで型成形部の成形を容易にすることができるとともに、凹部の部分の剛性を確保し、シール性を確保する。
【発明を実施するための最良の形態】
【００３０】
本発明の実施の形態を、車体開口部開閉部材としてドア２と、ウエザストリップとしてルーフサイドウエザストリップ１０を例にとり説明する。本発明は、ルーフサイドウエザストリップ１０以外にも、スライディングルーフウエザストリップ、ラッゲージウエザストリップ、バックドアウエザストリップ等の自動車の車体開口部と、その開口部を閉じる開閉部材に使用されるシール部と、取付基部とを有するウエザストリップにも使用することができる。
【００３１】
本発明を、図１〜図６に基づき説明する。
図１は、本発明の第１に実施の形態であるルーフサイドウエザストリップ１０の型成形部１２の裏側面からみた斜視図であり、図２は同じく表側からみた斜視図である。図３は、ルーフサイドウエザストリップ１０の型成形部１２の断面図であり、図１のＡ−Ａ線に沿った断面図である。
図４は、車体開口部周縁６に装着されるルーフサイドウエザストリップ１０の全体の正面図である。図５は、ルーフサイドウエザストリップ１０の押出成形部１１の断面形状を示し、図４のＢ−Ｂ線に沿った断面図である。
図６は自動車のドア２を開いた状態において、ルーフサイドウエザストリップ１０の車体開口部周縁６への取付状態を示す後方から見た斜視図である。
【００３２】
図６に示すように、自動車の車体１は、ドア２の取付部分に車体開口部を有し、その車体開口部は、車体開口部開閉部材であるドア２により開閉される。車体開口部の周囲は、図５に示すように、車体開口部周縁６を形成し、車体開口部周縁６の車外側の先端は、車体１を構成するアウターパネル９が屈曲して取付面を形成し、その取付面にリテーナー８が固定されている。そして、リテーナー８にルーフサイドウエザストリップ１０の取付基部２０が係合され、また、両面接着テープ２５によってルーフサイドウエザストリップ１０が取付けられる。
【００３３】
ルーフサイドウエザストリップ１０の全体の形状は、図４に示すように、押出成形で形成された押出成形部１１、１５と型成形で形成された型成形部１２、１３、１４から構成される。ルーフサイドウエザストリップ１０の車体開口部周縁６のリヤ側の縦辺部に取付けられる部分は、押出成形部１１と、押出成形部１１の先端に形成された型成形部１２から形成され、車体開口部周縁６の上辺部に取付けられる部分は、押出成形部１５の先端に形成された型成形部１４と押出成形部１５の他方の先端で押出成形部１１と接続しコーナー部に取付けられる型成形部１３から形成される。
【００３４】
型成形部１２と型成形部１４は、ともに後述する補強リブ４０を有しているが、本実施の形態として、押出成形部１１と型成形部１２を中心に説明する。
押出成形部１１は、図５に示すように、取付基部２０とシール部３０から形成されている。押出成形部１５も同様に、取付基部２０とシール部３０から形成されている。取付基部２０は、車内側に取付基部溝部２４が形成され、取付基部溝部２４にリテーナー８の側端が挿入されるとともに、車外側に形成された取付基部底部２１の裏面に両面接着テープ２５が取付けられて車体開口部周縁６の車外側に接着される。リテーナー８は、車体開口部周縁６に固着されている。
【００３５】
シール部３０の車内側の先端から車内方向に湾曲状のカバーリップ２６が延設されている。アウターパネル９の先端のフランジ７には、上記取付基部２０に隣接して、フランジ７の先端部分の装飾と先端の保護のために、内装品である断面略Ｕ字形のオープニングトリム５０が取付けられている。このオープニングトリム５０の車外側側面に上記カバーリップ２６の先端が当接している。このため、オープニングトリム５０とルーフサイドウエザストリップ１０との間の隙間をカバーリップ２６が塞いで、シールするとともに、美観を向上させている。
【００３６】
シール部３０は、第１中空シール部３１、第２中空シール部３２及び第３中空シール部３３の３つの中空部を有し、第１中空シール部３１と第２中空シール部３２の間には第１中空壁部３４が形成され、第２中空シール部３２と第３中空シール部３３の間には、第２中空壁部３６が形成されている。
第３中空シール部３３の車外側側面の先端から車外方向に中空部リップ３５が延設されている。
【００３７】
ドア２が閉じられて、ドアガラス５が上昇すると、ドアガラス５の先端は、まず中空部リップ３５に当接して、その後、さらに上昇して第１中空シール部３１に当接してシールする。このとき、シール部３０には、第１中空壁部３４と第２中空壁部３６が内部に存在するため、剛性が高く、シール部３０が異常変形することなくドアガラス５の先端と当接し、シール性を確保することができる。また、中空部リップ３５がドアガラス５の先端側面に当接し、第１中空シール部３１と合わせて２重シールをすることができ、シール性を向上させることができる。
なお、第１中空シール部３１の近傍には、モール６０が取付けられて、第１中空シール部３１に当接し、車体開口部周縁６におけるアウターパネル９とルーフサイドウエザストリップ１０との間を塞ぎ、美観の向上を図っている。
【００３８】
次に、型成形部１２について説明する。型成形部１２は前述のように押出成形部１１に一体的に連続して型成形により形成され、表側面は図２に示すように、押出成形部１１からスムースに連続した面を形成している。
型成形部１２の裏側面と内部の構造を図１と図３に基づき説明する。型成形部１２においても、押出成形部１１と同様に取付基部２０とシール部３０から形成される。
【００３９】
型成形部１２において、シール部３０は、第１中空シール部３１の１個のみから形成される。第１中空シール部３１を形成するために、成形金型では中子が使用されるが、その中子を取出すために取付基部２０に中子抜きスリット２２が長手方向に形成される。第１中空シール部３１の側壁として第１中空壁部３４が形成される。型成形部１２の第１中空シール部３１と第１中空壁部３４は、押出成形部１１の第１中空シール部３１と第１中空壁部３４と連続して形成される。このため、中子には第１中空シール部３１の中空部を塞ぐ栓が設けられている。第１中空壁部３４により、第１中空シール部３１の剛性を押出成形部１１から連続して確保することができる。
【００４０】
第１中空シール部３１に隣接して裏側面に開口した凹部２７が形成される。凹部２７は、第１中空壁部３４とカバーリップ２６により形成され、押出成形部１１の第２中空シール部３２と第３中空シール部３３に対応する部分に形成される。このため、カバーリップ２６の表側は、押出成形部１１と型成形部１２の接続部分で連続した平滑な面を形成することができる。
【００４１】
凹部２７の内部には、複数の補強リブ４０が幅方向に形成され、本実施の形態では第１リブ４１から第４リブ４４までの４枚のリブが形成されている。
凹部２７が形成されているため、押出成形部１１に形成されている第２中空シール部３２と第３中空シール部３３は型成形部１２では、形成されていないが、補強リブ４０がカバーリップ２６の内面と連続して形成されているため、カバーリップ２６を保持して、カバーリップ２６の異常変形を防止して取付基部２０とその近傍に設けられたオープニングトリム５０との間の隙間を確実に覆うことができる。
【００４２】
補強リブ４０の第１リブ４１、第２リブ４２、第３リブ４３及び第４リブ４４は、押出成形部１１の接続部分から順に形成され、第１中空壁部３４との間に、隙間である取付基部溝部２４を有している。取付基部溝部２４を有するため、カバーリップ２６が撓みやすく、型成形時に補強リブ４０を金型の上型又は下型で成形するが、成形後に金型の中子を取出す方向と同じ、取付基部２０に対して面直方向に移動させて、この金型から型成形部１２のカバーリップ２６と補強リブ４０を取出すことが容易である。なお、第１リブ４１と押出成形部１１の端面との間の凹部２７は、型成形中に、押出成形部１１の第２中空シール部３２と第３中空シール部３３の端面の中空部分を塞ぐために、凹部２７を形成する金型の先端に栓を設けるため、少し広く形成されている。
【００４３】
なお、取付基部２０は、押出成形部１１と同様に、車体開口部周縁６に取付基部底部２１に取付けられた両面接着テープ２５で接着されて取付けられるとともに、車体開口部周縁６の車内側に取付けられたリテーナー８の側端が、取付基部溝部２４に係合され、第１中空壁部３４を保持して、取付基部２０を保持することができる。
また、取付基部２０を車体開口部周縁６に装着するときに、中子抜きスリット２２を接着剤で接着することが得きる。この場合は、第１中空シール部３１の形状が安定し、シール性を向上させることができる。
【００４４】
型成形部１２においても、ドア２が閉じられて、ドアガラス５が上昇すると、ドアガラス５の先端は、まず中空部リップ３５に当接して、その後、ドアガラス５の上昇につれて第１中空シール部３１に当接してシールする。このとき、シール部３０には、第１中空壁部３４が内部に存在し、第１中空壁部３４がリテーナー８保持されているため、剛性が高く、シール部３０が異常変形することなく当接し、シール性を確保することができる。また、中空部リップ３５がドアガラス５の先端側面に当接するため２重シールをすることができ、シール性を向上させることができる。
【００４５】
型成形部１２の先端の裏側面には、クリップ２８が取付けられている。クリップ２８の替わりに両面接着テープを取付けてもよい。型成形部１２の先端を車体開口部周縁６にクリップ２８で装着する場合は、車体開口部周縁６に取付孔を設けることにより容易に取付けることができる。両面接着テープで固定する場合は、車両に装着時に、両面接着テープ２５を車体開口部周縁６に押圧して、固定することができる。これにより、型成形部１２の先端の薄肉状になった部分を車体開口部周縁６に密着させることができる。
【００４６】
型成形部１２はスポンジゴムにより形成される。このため、ドア２を閉じて、ドアガラス５が上昇した時に、ドアガラス５に柔軟に当接して、車体１の組み付け時の寸法バラツキがあっても確実にシールすることができる。また、型成形部１２は、スポンジのみで形成されるため、成形が容易である。
なお、押出成形部１１の取付基部２０はソリッドゴムで形成され、シール部３０はスポンジゴムで形成される。このため、取付基部２０は、車体開口部周縁６のリテーナー８に確実に保持されることができる。そして、シール部３０は、ドア閉時に、ドア２のドアガラス５に柔軟に当接して、車体１の組み付け時の寸法バラツキがあっても確実にシールすることができる。
【００４７】
次に、ルーフサイドウエザストリップ１０の製造方法を説明する。
このルーフサイドウエザストリップ１０は、押出成形により成形され、取付基部２０を構成するソリッドゴムとシール部３０を構成するスポンジゴムを押出成形機で一体に押出すことができる。
【００４８】
ルーフサイドウエザストリップ１０の押出成形においては、成形材料は、ソリッド材または微発泡剤の場合は、合成ゴム、熱可塑性エラストマーが使用され、例えば合成ゴムではＥＰＤＭゴム、熱可塑性エラストマーではポリオレフィン系エラストマー等が使用される。スポンジ材としてとしては、上記ＥＰＤＭゴム、熱可塑性エラストマーを発泡させて使用する。
【００４９】
スポンジの部分はＥＰＤＭゴムやオレフィン系熱可塑性エラストマーで形成することができる。このため、フランジ７を保持するに十分な強度とフランジ７の形状の変化に追従することが可能な十分な柔軟性を併せ持つことができる。
【００５０】
合成ゴムの場合は、押出成形後に加硫槽に搬送されて、熱風や高周波等により加熱されて加硫、発泡が行われる。熱可塑性エラストマー、軟質合成樹脂の場合は、押出成形と同時にあるいは押出成形の後に加熱されて発泡して、冷却され固化される。その後、所定の長さに切断されて、押出成形部分は製造される。
そして、押出成形部分が所定寸法に切断されて押出成形部１１、１５となり、その端末に型成形部１２、１３、１４が金型により成形される。型成形部１２、１３、１４は、前述のとおり、スポンジ材のみで形成される。
【図面の簡単な説明】
【００５１】
【図１】本発明の実施の形態であるルーフサイドウエザストリップの裏面からみた斜視図である。
【図２】本発明の実施の形態であるルーフサイドウエザストリップの平面から見た斜視図である。
【図３】本発明の実施の形態であるのルーフサイドウエザストリップの型成形部の断面図であり、図１のＡ−Ａ線に沿った断面図である。
【図４】本発明の実施の形態であるルーフサイドウエザストリップの正面図である。
【図５】本発明の実施の形態であるのルーフサイドウエザストリップの押出成形部の断面図であり、図４のＢ−Ｂ線に沿った断面図である。
【図６】自動車のドアを開いた状態における後方から見た斜視図である。
【図７】従来のルーフサイドウエザストリップを自動車の開口縁に取付けた状態における断面図である。
【図８】従来の他のルーフサイドウエザストリップを自動車の開口縁に取付けた状態における断面図である。
【図９】従来の他のルーフサイドウエザストリップのコーナー部の底面図である。
【図１０】従来の他のルーフサイドウエザストリップの断面図である。
【符号の説明】
【００５２】
６  車体開口部周縁
１０  ルーフサイドウエザストリップ
１１  押出成形部
１２  型成形部
２０  取付基部
２２  中子抜きスリット
２６  カバーリップ
３０  シール部
３１  第１中空シール部
３４  第１中空壁部
３５  中空部リップ
４０  補強リブ
【図１】
2008110648.tif 000003
【図２】
2008110648.tif 000004
【図３】
2008110648.tif 000005
【図４】
2008110648.tif 000006
【図５】
2008110648.tif 000007
【図６】
2008110648.tif 000008
【図７】
2008110648.tif 000009
【図８】
2008110648.tif 000010
【図９】
2008110648.tif 000011
【図１０】
2008110648.tif 000012